(57)【要約】【課題】一つの遠隔操作機器で操作される複数の給水機器に対し、使用者が作動させたい給水機器を確実に選択出来るようにする。【解決手段】一つの無線式の遠隔操作機器と、前記遠隔操作機器で操作可能な複数の給水機器で構成され、使用者が前記遠隔操作機器を携帯し前記給水機器を利用する給水制御システムにおいて、前記給水機器は近傍に使用者の存在有無を検出する人体検出部を有するとともに、前記人体検出部の出力に応じて、前記遠隔操作機器での操作による前記給水機器の作動を制限することを特徴とする。【選択図】  図１
2004293217.tif 000002
【特許請求の範囲】
【請求項１】
一つの無線式の遠隔操作機器と、前記遠隔操作機器で操作可能な複数の給水機器で構成され、使用者が前記遠隔操作機器を携帯し前記給水機器を利用する給水制御システムにおいて、前記給水機器は近傍に使用者の存在有無を検出する人体検出部を有するとともに、前記人体検出部の出力に応じて、前記遠隔操作機器での操作による前記給水機器の作動を制限することを特徴とする給水制御システム。
【請求項２】
請求項１記載の給水制御システムにおいて、前記給水機器は、アンテナを介して電波を受信する受信部と、前記受信部をスイッチング動作させるスイッチング部とを有し、前記人体検出部にて人体が検出された場合のみ前記スイッチング部により前記受信部を動作させることを特徴とする給水制御システム。
【請求項３】
請求項１及び請求項２に記載の給水制御システムにおいて、前記人体検出部の人体検出可能距離は、前記遠隔操作機器の遠隔操作可能な距離よりも短いことを特徴とする給水制御システム。
【請求項４】
請求項１ないし請求項３いずれか記載の給水制御システムにおいて、前記人体検出部は、赤外線を用いていることを特徴とする給水制御システム。
【発明の詳細な説明】
【０００１】
【発明の属する技術分野】
本発明は、一つのリモコン（遠隔操作機器）で複数の給水機器を遠隔操作する給水制御装置に関する。
【０００２】
【従来の技術】
現在、家庭内にある衛生洗浄装置の赤外線リモコンのように到達距離を原理的に制限して、隣接の部屋などには到達しないようにしている。また、リモコン出力と使用可能状態にする人体検知手段との論理積をとって、人体検知しなければ動作させないとして誤動作防止しているのはある。
また、家庭用の台所用水栓に、電波を用いたワイヤレス通信による給水制御装置が用いられる事は既によく知られている（例えば、特許文献１参照。）。
電波を用いる事により、ワイヤード式リモコンと比較すると施工性の向上等が図れ、赤外線式リモコンと比較すると通信エリアの拡大や障害物に対する影響の低減及びリモコン設置場所の選択肢増等が図れる。
また、電波を用いたワイヤレス通信で家庭用の台所水栓や洗面所の水栓を、予め使用する部屋に取り付けられている位置情報発信機からの基準信号により使用者の位置情報を受信機能を有した遠隔操作機器へ把握させ、遠隔操作機器からの信号に位置情報が盛り込まれている場合のみ給水機器は信号を受け付ける事により、一つの遠隔操作機器で複数の給水機器を操作させる技術も既に知られている（例えば、特許文献２参照。）。
【０００３】
【特許文献１】
特開２０００−１６０６１５号公報
【特許文献２】
特開平４−１５０２９２号公報
【０００４】
【発明が解決しようとする課題】
しかしながら、赤外線リモコンのように指向性があり、機器本体に受光面を設けたりしなければならないので、一般の給水機器の制御部は洗面カウンター内部に配置されていて、また、蛇口近くに赤外線リモコンの受光面を設けると、水滴等が付着すると感度が落ち動作しなくなったりするので取付面の制約を受けていた。
ここで、電波リモコンの使用が考えられるが、前記の特開２０００−１６０６１５号公報に開示された給水制御装置では、次の様な問題が有った。一般的に、家庭内において給水機器は複数台有り、これを一つの電波式遠隔操作機器にて遠隔操作しようとした場合、電波の特性上、意に反して電波が飛び過ぎてしまい、操作させたい給水機器以外も遠隔操作機器からの信号を受信し誤って動作してしまうという問題である。一つの遠隔操作機器を携帯し、使用したい給水機器の近くまで移動してその給水機器を操作したいという要望は、特に車椅子を家庭内で使用される身障者の方から頻繁に挙げられる。
また、この電波の高感度性の問題を解決している前記の特開平４−１５０２９２号公報においても、給水機器が設置されている部屋毎に遠隔操作機器へ基準信号を発する位置情報発信機を取り付けなければならず、本来給水機器と遠隔操作機器のみで成り立つシステムであるのに対し、機器の数が増えるというシステムの複雑化の問題を備えていた。また、位置情報発信機と遠隔操作機器間にも光若しくは電波によるワイヤレス通信が必要となり、かつ、位置情報発信機と遠隔操作機器との通信距離が比較的長いが故に、光の場合の障害物の影響や電波の場合の過剰感度距離の影響により位置情報発信機と遠隔操作機器間との通信に確実性が欠けるという問題点が有った。更に、遠隔操作機器にも位置情報発信機からの信号を受ける受信機能を備える必要が有り、遠隔操作機器の構造が複雑になると共に、遠隔操作機器は定期的に位置情報発信機からの信号を入力する必要が有るため消費が増大するという問題点を備えていた。これは、遠隔操作機器は一般的に乾電池による駆動が好ましいため、遠隔操作機器の電源の小型化及び電池の長寿命化に対し大きな妨げとなる。
【０００５】
本発明の給水制御システムは、上記した問題点を解決するためになされ、電波を用いた一つの遠隔制御機器と複数の給水機器においても、使用者が作動させたい給水機器を確実に選択できる事を目的とする。
【０００６】
【課題を解決するための手段】
上記した課題を解決すべく、本発明では以下の構成を採った。
まず、給水制御システムは、
一つの無線式の遠隔操作機器と、前記遠隔操作機器で操作可能な複数の給水機器で構成され、使用者が前記遠隔操作機器を携帯し前記給水機器を利用する給水制御システムにおいて、
前記給水機器は近傍に使用者の存在有無を検出する人体検出部を有するとともに、前記人体検出部の出力に応じて、前記遠隔操作機器での操作による前記給水機器の作動を制限することを特徴とする。
請求項１記載の構成である。
【０００７】
使用者が遠隔操作機器を携帯して給水機器を利用する場合、使用者は給水機器の近傍まで接近する。これを、給水機器に備えた人体検出部によって認識させる事により、給水機器は使用者が選択した給水機器であるかどうかが判断できる。複数の給水機器の中で使用者により選択された給水機器のみ、遠隔操作機器からの操作信号の受け付けを可能にする事により、使用者は遠隔操作機器の操作により作動させたい給水機器のみを確実に作動させる事が可能となる。
【０００８】
次に、請求項１記載の給水制御システムにおいて、
前記給水機器は、アンテナを介して電波を受信する受信部と、前記受信部をスイッチング動作させるスイッチング部とを有し、前記人体検出部にて人体が検出された場合のみ前記スイッチング部により前記受信部を動作させることを特徴とする給水制御システムとした。
請求項２記載の構成である。
【０００９】
給水機器は、使用者の接近有り無しに関わらず、常に遠隔操作機器からの信号を受信しようとして受信部を動作させると、かなりの電力を消費することになる。そこで、受信部の動作をスイッチング可能とするためにスイッチング部を設け、人体検出部からの出力が人体無しを示している間使用者は遠隔操作機器を操作しないと判断し、受信部の動作を停止させる。
給水機器は一日のうち大半が未使用状態であるため、これにより大幅な消費電力の削減が可能となる。
【００１０】
次に、請求項１及び請求項２に記載の給水制御システムにおいて、
前記人体検出部の人体検出可能距離は、前記遠隔操作機器の遠隔操作可能な距離よりも短いことを特徴とする給水制御システムとした。
請求項３記載の構成である。
【００１１】
遠隔操作機器が給水機器を遠隔操作可能な距離は比較的長く、更に家庭内には電波の伝達距離を助長させ導波管の役割を果たしてしまう部材が多々有るため、複数の給水機器が同時に電波を受信し、使用者が選択していない給水機器が誤って動作してしまう事象が有った。本発明では、使用者を検出する人体検出部の人体検出可能距離を、前記遠隔操作機器の遠隔操作可能な距離よりも短くする事により、使用者は複数の給水機器から同時に検出されることなく確実に作動させたい給水機器へ遠隔操作機器による操作を行う事が可能となる。
【００１２】
次に、請求項１ないし請求項３いずれか記載の給水制御システムにおいて、
前記人体検出部は、赤外線を用いていることを特徴とする給水制御システムとした。
請求項４記載の構成である。
【００１３】
赤外線を用い、検出体からの反射光量を測定して人体の有無を判断する人体検出装置は既に周知の技術であり、広く一般的に用いられている。本発明では、赤外線を用いた人体検出装置は反射光量を応用するが故に、検出可能な距離が短く制限される事に着目した。更に、光の特性上、物質を透過する特性は無く、電波の様な導波管となり得るような部材は家庭の中には設置されていないため、隣の部屋の給水機器に接近している使用者を誤って検出する事は有り得ない。従って、家庭内に設置されている複数の給水機器は、使用者がどの給水機器に接近しているかどうかを確実に把握する事が可能となる。
尚、赤外線を用いた人体検出部と同等な効果が得られる事が期待できる、ドップラー型マイクロ波を用いて人体検出部を構成しても良い。
【００１４】
【発明の実施の形態】
【実施例】
次に、本発明の実施の形態を実施例に基づき説明する。図１は、本発明にかかる第１実施形態を表す基本構成図である。使用者が操作する遠隔操作機器１は、電波を空気中へ発信する送信アンテナ２、送信アンテナ２へ変調信号を送る送信部３、送信部３へ変調されるデータを送る通信データ生成部４、使用者より操作指示を受ける機器操作入力部６、機器操作入力部６よりの信号を入力し様々な信号の処理を行うＣＰＵ５を備えている。
【００１５】
給水機器７は、遠隔操作機器１からの電波を受信する受信アンテナ８、受信アンテナ８から受信した電波を復調する受信部９、受信部９にて復調された信号から通信データを抽出する通信データ抽出部１０、給水機器７へ接近した使用者を検出する人体検出部１２、給水及び止水時に動作する電磁弁１４、電磁弁１４を駆動させる電磁弁駆動部１３、人体検出部１２よりの信号を入力し様々な信号の処理を行うＣＰＵ１１とを備える。
【００１６】
次に、第２実施形態の給水機器７の回路ブロック図を表す図２において、電源１５はプラス側電源１５ａとマイナス側電源１５ｂを有し、ＣＰＵ１１、人体検出部１２、受信部９をスイッチング動作させるスイッチング部１７等に印加される。ＣＰＵ１１は、動作クロックを生成する発振子１６と入力ポートＰＩ１及びＰＩ２と出力ポートＰＯ１とを有する。アンテナ８で受けた電波は受信部９で電気信号に復調され、さらに通信データ抽出部１０にて通信データに変換され、ＣＰＵ１１の入力ポートＰＩ１へ入力される。人体検出部１２での人体有無結果は、ＣＰＵ１１の入力ポートＰＩ２へ入力される。受信部９をスイッチング動作させるスイッチング部１７は、トランジスタ１７ａ、ベース−エミッタ抵抗１７ｂ及びベース抵抗１７ｃとから構成され、ベース抵抗１７ｃはＣＰＵ１１の出力ポートＰＯ１に接続される。ここで、出力ポートＰＯ１がオンするとトランジスタ１７ａもオンし、受信部９に電源１５が印加され、受信部９は受信動作を行う事が可能となる。また、出力ポートＰＯ１がオフするとトランジスタ１７ａもオフし、受信部９は動作停止する。
【００１７】
次に、第１及び第２実施形態のシステム図を図３に表す。今回は家庭内に給水機器１及び給水機器２が設置されている例を示す。この様に電波を用いた遠隔操作機器１は、給水機器１の近傍に位置していたとしても、遠くに位置する給水機器２へも電波が届く距離にある。
【００１８】
次に、第１及び第２実施形態の人体検出部のレイアウト図を図４に示す。人体検出部１２は、図のように給水機器７の前方に配置されると、使用者１９を容易に検出する事が可能となる。本例は人体検出部１２が給水機器７の洗面台前方に配置された例を示したが、洗面台下方部の扉位置に配置しても良い。また、人体検出部は物体に対し反射性を特徴とする赤外線を用いても良いし、使用者の移動をドップラー効果で検出するマイクロ波を用いても良い。
【００１９】
次に、第３実施形態の感度距離相関図を図５に示す。
家庭内に配置される遠隔操作機器１と給水機器７において、給水機器７に配置される人体検出部１２の人体検出可能距離２１を、遠隔操作機器１の遠隔操作可能距離２０よりも短く設定している。
【００２０】
図６は、第１実施形態の給水機器７のＣＰＵ１１における処理のフローチャートを示すものである。Ｓ６０１にて電波の受信動作を受信部９にて実行し、結果をＣＰＵ１１の入力ポートＰ１１を経由して格納する。次にＳ６０２にて人体検出動作を人体検出部１２にて実行し、結果をＣＰＵ１１の入力ポートＰ１２を経由して格納する。Ｓ６０３にてＳ６０１の格納結果を下に遠隔操作機器１からの電波を受信したかどうかを判断する。Ｓ６０３にて否定であればＳ６０１へジャンプし、肯定であればＳ６０４にてＳ６０２の格納結果を下に人体を検出したかどうかを判断する。Ｓ６０４にて否定であればＳ６０１へジャンプし、肯定であればＳ６０５にて電磁弁１４が現在閉状態であるかどうかを判断する。Ｓ６０５で肯定であればＳ６０６にて電磁弁１４を開状態へ駆動し次ルーチンへジャンプする。Ｓ６０５で否定であればＳ６０７にて電磁弁１４を閉状態へ駆動し次ルーチンへジャンプする。
【００２１】
図７は、第２実施形態の給水機器７のＣＰＵ１１における処理のフローチャートを示すものである。Ｓ７０１にて人体検出動作を人体検出部１２にて実行し、結果をＣＰＵ１１の入力ポートＰ１２を経由して格納する。Ｓ７０２にてＳ７０１の格納結果を下に人体を検出したかどうかを判断する。Ｓ７０２にて否定であればＳ７０１へジャンプし、肯定であればＳ７０３にて出力ポートＰＯ１をオンして受信部９を受信可能状態とし、Ｓ７０４にて電波の受信動作を受信部９にて実行し、結果をＣＰＵ１１の入力ポートＰ１１を経由して格納する。その後、Ｓ７０５にて出力ポートＰＯ１をオフして受信部９の受信動作を停止し、Ｓ７０６にてＳ７０４の格納結果を下に遠隔操作機器１からの電波を受信したかどうかを判断する。Ｓ７０６にて否定であればＳ７０１へジャンプし、肯定であればＳ７０７にて電磁弁１４が現在閉状態であるかどうかを判断する。Ｓ７０７で肯定であればＳ７０８にて電磁弁１４を開状態へ駆動し次ルーチンへジャンプする。Ｓ７０７で否定であればＳ７０９にて電磁弁１４を閉状態へ駆動し次ルーチンへジャンプする。
【００２２】
【発明の効果】
請求項１記載の第１実施形態の発明によれば、無線式の一つの遠隔操作機器により複数の給水機器を遠隔操作する給水制御システムにおいて、給水機器側に使用者の接近が判断できる様人体検出部を設ける事により、給水機器は人体検出部が使用者を検出し、かつ、遠隔操作機器よりの操作信号を受け付けた時のみ、電磁弁の動作を許可する事とした。
これにより、電波の広範囲通信エリアの影響で、遠隔操作機器の操作により、複数の給水機器が使用者の意に反して同時に動作してしまうという問題点が解決する効果が得られる。
請求項２記載の第２実施形態の発明によれば、給水機器は人体検出部が使用者を検出していない時は、遠隔操作機器からの電波信号を受信する準備を行う必要はないため、給水機器の受信部をスイッチング動作させるスイッチング部を設ける事とした。更に、人体検出部が使用者を検出していない時は受信部の動作を停止させる事とした。これにより、給水機器が受信動作を行う電力消費に対し、使用者が遠隔操作機器を操作する意志が無い場合は受信動作を停止する事が可能となり、大幅な電力削減が可能となるという効果が得られる。
請求項３記載の第３実施形態の発明によれば、人体検出部の人体検出可能距離は、遠隔操作機器の遠隔操作可能な距離よりも短い事とした。これにより、使用者が選択する給水機器を確実に一つにする事が実現する効果が得られる。
請求項４記載の第４実施形態の発明によれば、人体検出部は赤外線を用いている事とした。赤外線の特徴である反射性及び非透過性により、人体検出部の人体検出可能距離は、遠隔操作機器の遠隔操作可能な距離よりも短くする事が容易に実現できるという効果が得られる。
【００２３】
【図面の簡単な説明】
【図１】本発明の第１実施形態示す基本構成図
【図２】本発明の第２実施形態を示す回路ブロック図
【図３】本発明の第１及び第２実施形態を示すシステム図
【図４】本発明の第１及び第２実施形態を示す人体検出部のレイアウト図
【図５】本発明の第３実施形態を示す感度距離相関図
【図６】本発明の第１実施形態を示すＣＰＵ１１における処理のフローチャート
【図７】本発明の第２実施形態を示すＣＰＵ１１における処理のフローチャート
【符号の説明】
１…遠隔操作機器
２…送信アンテナ
３…送信部
４…通信データ生成部
５…ＣＰＵ
６…機器操作入力部
７…給水機器
８…受信アンテナ
９…受信部
１０…通信データ抽出部
１１…ＣＰＵ
１２…人体検出部
１３…電磁弁駆動部
１４…電磁弁
１５…電源
１５ａ…プラス側電源
１５ｂ…マイナス側電源
１６…発振子
１７…スイッチング部
１７ａ…トランジスタ
１７ｂ…ベース−エミッタ抵抗
１７ｃ…ベース抵抗
１９…使用者
２０…遠隔操作可能距離
２１…人体検出可能距離
【図１】
2004293217.tif 000003
【図２】
2004293217.tif 000004
【図３】
2004293217.tif 000005
【図４】
2004293217.tif 000006
【図５】
2004293217.tif 000007
【図６】
2004293217.tif 000008
【図７】
2004293217.tif 000009